(57)【要約】連続的なスペクトルを有し、演色性の高い光を射出することができる照明装置および観察システムを提供する。第１の波長帯域の光（Ｌ１）を発する第１の光源（１０）と、第１の波長帯域よりも広帯域で連続的なスペクトルを有する第２の波長帯域の光（Ｌ２）を発する第２の光源（２０）と、第１の光源（１０）の光軸と第２の光源（２０）の光軸との交点上に配置され、第２の光源（２０）の光軸上に挿脱されるダイクロイックミラー（４０）と、第２の光源（２０）の光軸上に配置されたライトガイド（４３）とを備える照明装置（１）を採用する。
2012101904.tif 000002
【特許請求の範囲】
【請求項１】
第１の波長帯域の光を発する第１の光源と、
前記第１の波長帯域よりも広帯域で連続的なスペクトルを有する第２の波長帯域の光を発する第２の光源と、
前記第１の波長帯域の光と前記第２の波長帯域の光とを合成する光合成部と、
該光合成部による各前記波長帯域の光の合成比率を調節する合成比率調節部とを備える照明装置。
【請求項２】
前記光合成部が、前記第１の波長帯域の光を反射するとともに、前記第２の波長帯域の光の一部を透過して、前記第１の波長帯域の光と前記第２の波長帯域の光とを合成し、
前記合成比率調節部が、前記光合成部を前記第２の光源の光軸上から挿脱する請求項１に記載の照明装置。
【請求項３】
前記第２の波長帯域の一部の波長帯域である第３の波長帯域の光を発する第３の光源を備え、
前記光合成部が、前記第１の波長帯域の光および前記第２の波長帯域の光を反射するとともに、前記第３の波長帯域の光を透過し、
前記合成比率調節部が、前記光合成部を各前記光源の光軸に直交する軸線回りに回転させる請求項１に記載の照明装置。
【請求項４】
前記第１の波長帯域および前記第２の波長帯域とは異なる波長帯域である第３の波長帯域の光を発する第３の光源を備え、
前記光合成部が、前記第１の波長帯域の光および前記第３の波長帯域の光を反射するとともに、前記第２の波長帯域の光の一部を透過する板状のフィルタであり、
前記合成比率調節部が、前記光合成部を各前記光源の光軸に直交する軸線回りに回転させる請求項１に記載の照明装置。
【請求項５】
前記光合成部の回転に同期して、各前記光源を点灯させる請求項４に記載の照明装置。
【請求項６】
前記合成比率調節部が、射出する光の波長帯域に応じて、前記光合成部の各前記光源の光軸に直交する軸線回りの回転角度を微調節する請求項３から請求項５のいずれかに記載の照明装置。
【請求項７】
請求項１から請求項６のいずれかに記載の照明装置と、
該照明装置により照明された標本の画像を撮像する撮像素子とを備える観察システム。
【発明の詳細な説明】
【技術分野】
【０００１】
本発明は、照明装置およびこれを備える観察システムに関するものである。
【背景技術】
【０００２】
従来、互いに異なる波長帯域の光を射出する光源を複数備え、これら光源からの異なる波長帯域の光をダイクロイックミラーにより合成して射出する照明装置が知られている（例えば、特許文献１から３参照）。
【先行技術文献】
【特許文献】
【０００３】
【特許文献１】特開２００９−８６０５７号公報
【特許文献２】特開２００８−２９２５４７号公報
【特許文献３】特開２００８−１７６０８３号公報
【発明の概要】
【発明が解決しようとする課題】
【０００４】
しかしながら、上記の特許文献１から３に開示されている照明装置によれば、特定の波長帯域の光を透過するとともに該特定の波長帯域以外の光を反射するダイクロイックミラーにより、異なる波長帯域の光を合成するため、合成した光のスペクトルが不連続となってしまい、演色性が低いという不都合があった。【０００５】
本発明は上述した事情に鑑みてなされたものであって、連続的なスペクトルを有し、演色性の高い光を射出することができる照明装置および観察システムを提供することを目的とする。
【課題を解決するための手段】
【０００６】
上記目的を達成するために、本発明は以下の手段を採用する。
本発明の第１の態様は、第１の波長帯域の光を発する第１の光源と、前記第１の波長帯域よりも広帯域で連続的なスペクトルを有する第２の波長帯域の光を発する第２の光源と、前記第１の波長帯域の光と前記第２の波長帯域の光とを合成する光合成部と、該光合成部による各前記波長帯域の光の合成比率を調節する合成比率調節部とを備える照明装置である。【０００７】
本発明の第１の態様によれば、第１の光源からの第１の波長帯域の光と、第２の光源からの第２の波長帯域の光とが、光合成部により合成されて射出される。この場合において、合成比率調節部により、光合成部による各波長帯域の光の合成比率が調節される。このようにすることで、照明する対象に応じて、波長帯域を変化させて光を射出することができる。【０００８】
これにより、例えば本発明を内視鏡装置に適用して病変部を観察するために、特定の波長帯域の光を射出したい場合には、第１の波長帯域の光と第２の波長帯域の光との合成比率を調節して、特定の波長帯域の光を射出することができる。一方、例えば白色光のようなブロードな光を射出したい場合には、第２の波長帯域の光、すなわち、第１の波長帯域よりも広帯域で連続的なスペクトルを有する第２の波長帯域の光をそのまま射出することができる。【０００９】
上記の第１の態様において、前記光合成部が、前記第１の波長帯域の光を反射するとともに、前記第２の波長帯域の光の一部を透過して、前記第１の波長帯域の光と前記第２の波長帯域の光とを合成し、前記合成比率調節部が、前記光合成部を前記第２の光源の光軸上から挿脱することとしてもよい。【００１０】
このようにすることで、特定の波長帯域の光を射出したい場合には、光合成部を第２の光源の光軸上に配置した状態で、第１の光源および／または第２の光源を点灯させることによって、特定の波長帯域の光を射出することができる。また、例えば白色光のようなブロードな光を射出したい場合には、光合成部を第２の光源の光軸上から外した状態で、第２の光源を点灯させることによって、広帯域で連続的なスペクトルを有する第２の波長帯域の光をそのまま射出することができる。【００１１】
上記の第１の態様において、前記第２の波長帯域の一部の波長帯域である第３の波長帯域の光を発する第３の光源を備え、前記光合成部が、前記第１の波長帯域の光および前記第２の波長帯域の光を反射するとともに、前記第３の波長帯域の光を透過し、前記合成比率調節部が、前記光合成部を各前記光源の光軸に直交する軸線回りに回転させることとしてもよい。【００１２】
このようにすることで、特定の波長帯域の光を射出したい場合には、第１の光源からの第１の波長帯域の光を合成光の射出光軸方向に反射するように、光合成部を各光源の光軸に直交する軸線回りに回転させる。この状態において、第１の光源および／または第３の光源を点灯させることによって、特定の波長帯域の光を射出することができる。【００１３】
また、例えば白色光のようなブロードな光を射出したい場合には、第２の光源からの第２の波長帯域の光を合成光の射出光軸方向に反射するように、光合成部を各光源の光軸に直交する軸線回りに回転させる。この状態において、第２の光源および第３の光源を点灯させることによって、第２の波長帯域の光において、波長帯域の一部が第３の波長帯域の光に置き換わった広帯域で連続的なスペクトルを有する合成光を射出することができる。【００１４】
上記の第１の態様において、前記第１の波長帯域および前記第２の波長帯域とは異なる波長帯域である第３の波長帯域の光を発する第３の光源を備え、前記光合成部が、前記第１の波長帯域の光および前記第３の波長帯域の光を反射するとともに、前記第２の波長帯域の光の一部を透過する板状のフィルタであり、前記合成比率調節部が、前記光合成部を各前記光源の光軸に直交する軸線回りに回転させることとしてもよい。【００１５】
このようにすることで、第１の波長帯域を含む特定の波長帯域の光を射出したい場合には、第１の光源からの第１の波長帯域の光を合成光の射出光軸方向に反射するように、光合成部を各光源の光軸に直交する軸線回りに回転させる。この状態において、第１の光源および／または第２の光源を点灯させることによって、所望の波長帯域の光を射出することができる。【００１６】
また、例えば白色光のようなブロードな光を射出したい場合には、板状のフィルタである光合成部の反射面が第２の光源の射出光軸に沿う方向となるように、光合成部を各光源の光軸に直交する軸線回りに回転させる。この状態において、第２の光源を点灯させることによって、広帯域で連続的なスペクトルを有する第２の波長帯域の光を、光合成部により反射させることなくそのまま射出することができる。【００１７】
また、第３の波長帯域を含む特定の波長帯域の光を射出したい場合には、第３の光源からの第３の波長帯域の光を合成光の射出光軸方向に反射するように、光合成部を各光源の光軸に直交する軸線回りに回転させる。この状態において、第３の光源および／または第２の光源を点灯させることによって、所望の波長帯域の光を射出することができる。【００１８】
上記の第１の態様において、前記光合成部の回転に同期して、各前記光源を点灯させることとしてもよい。
このようにすることで、第１の波長帯域の光、第２の波長帯域の光、第３の波長帯域の光を順次射出することができ、面順次照明を行うことができる。【００１９】
上記の第１の態様において、前記合成比率調節部が、射出する光の波長帯域に応じて、前記光合成部の各前記光源の光軸に直交する軸線回りの回転角度を微調節することとしてもよい。
このようにすることで、光合成部の角度依存性を利用して射出する光の波長帯域を微調節することができる。これにより、例えば蛍光試薬の種類により励起光の波長を数１０ｎｍシフトさせたい場合にも、励起光（射出光）の波長を微調節して蛍光観察を行うことができる。【００２０】
本発明の第２の態様は、上記の照明装置と、該照明装置により照明された標本の画像を撮像する撮像素子とを備える観察システムである。
本発明の第２の態様によれば、前述の照明装置を備えているため、標本に応じた照明光を射出して、適切な照明条件で標本の画像を撮像することができ、標本の観察精度を向上することができる。
【発明の効果】
【００２１】
本発明によれば、白色モードでは連続的なスペクトルを有し演色性の高い光を射出することができるとともに、医学的効果が高い照明モードへの切り替えも簡易な構成で実現できるという効果を奏する。
【図面の簡単な説明】
【００２２】
【図１】本発明の第１の実施形態に係る照明装置の概略構成図である（ＮＢＩモード）。
【図２】図１のダイクロイックミラーの反射特性を示すグラフである。
【図３】図１の第１の光源からの光の分光特性を示すグラフである。
【図４】図１の第２の光源からの光の分光特性を示すグラフである。
【図５】ダイクロイックミラー透過後の第２の光源からの光の分光特性を示すグラフである。
【図６】ＮＢＩモードにおける射出光の分光特性を示すグラフである。
【図７】図１の照明装置のＷＬＩモード時の状態を示す概略構成図である。
【図８】ＷＬＩモードにおける射出光の分光特性を示すグラフである。
【図９】本発明の第２の実施形態に係る照明装置の概略構成図である（ＮＢＩモード）。
【図１０】図９のダイクロイックミラーの反射特性を示すグラフである。
【図１１】図９の第１の光源からの光の分光特性を示すグラフである。
【図１２】図９の第２の光源からの光の分光特性を示すグラフである。
【図１３】図９の第３の光源からの光の分光特性を示すグラフである。
【図１４】ＮＢＩモードにおける射出光の分光特性を示すグラフである。
【図１５】図９の照明装置のＷＬＩモード時の状態を示す概略構成図である。
【図１６】ダイクロイックミラーにより反射された第２の光源からの光の分光特性を示すグラフである。
【図１７】ＷＬＩモードにおける射出光の分光特性を示すグラフである。
【図１８】本発明の第３の実施形態に係る照明装置の概略構成図である（ＷＬＩモード）。
【図１９】図１８のダイクロイックミラーの反射特性を示すグラフである。
【図２０】図１８の第１の光源からの光の分光特性を示すグラフである。
【図２１】図１８の第２の光源からの光の分光特性を示すグラフである。
【図２２】図１８の第３の光源からの光の分光特性を示すグラフである。
【図２３】ＷＬＩモードにおける射出光の分光特性を示すグラフである。
【図２４】図１８の照明装置のＮＢＩモード時の状態を示す概略構成図である。
【図２５】ダイクロイックミラー透過後の第２の光源からの光の分光特性を示すグラフである。
【図２６】ＮＢＩモードにおける射出光の分光特性を示すグラフである。
【図２７】図１８の照明装置のＭＩモード時の状態を示す概略構成図である。
【図２８】ダイクロイックミラー透過後の第２の光源からの光の分光特性を示すグラフである。
【図２９】ＭＩモードにおける射出光の分光特性を示すグラフである。
【図３０】第１の変形例に係る照明装置の重畳光の分光特性を示すグラフである。
【図３１】第２の変形例に係る照明装置のダイクロイックミラーの反射特性を示すグラフである。
【図３２】図３１のダイクロイックミラーにより合成される合成光の分光特性を示すグラフである。
【図３３】図３１のダイクロイックミラーの静止角度を変化させた場合の反射特性を示すグラフである。
【図３４】図３３のダイクロイックミラーにより合成される合成光の分光特性を示すグラフである。
【発明を実施するための形態】
【００２３】
〔第１の実施形態〕
以下、本発明の第１の実施形態に係る照明装置について図面を参照して説明する。
本実施形態に係る照明装置１は、例えば生体組織を観察する観察システムに適用され、図１に示すように、光軸が互いに直交する向きに配置された第１の光源１０および第２の光源２０と、第１の光源１０の光軸と第２の光源２０の光軸との交点上に配置されたダイクロイックミラー（光合成部）４０と、第２の光源２０の光軸上に配置されたライトガイド４３とを備えている。
【００２４】
第１の光源１０は、図３に示すように、例えばバイオレット色等の比較的短波長の光（第１の波長帯域の光）Ｌ１を射出するＬＥＤである。
第１の光源１０の射出光軸上には、第１の光源１０からの光Ｌ１を略平行光にするレンズ群１１，１２が配置されている。
【００２５】
第２の光源２０は、図４に示すように、例えば白色等の比較的広帯域で連続的なスペクトルを有する光（第２の波長帯域の光）Ｌ２を射出するＬＥＤである。
第２の光源２０の射出光軸上には、第２の光源２０からの光Ｌ２を略平行光にするレンズ群２１，２２が配置されている。
【００２６】
ダイクロイックミラー４０は、図２に示すように、例えば５００ｎｍ以上６００ｎｍ未満の波長帯域の光を透過するともに、５００ｎｍ未満および６００ｎｍ以上の波長帯域の光を反射するような反射特性を有している。なお、図２において、各グラフは、ダイクロイックミラー４０への入射角をそれぞれ示している。
【００２７】
このような反射特性を有することで、ダイクロイックミラー４０は、第１の光源１０から射出された光Ｌ１を反射するとともに、第２の光源２０から射出された光Ｌ２のうち、５００ｎｍ以上６００ｎｍ未満の波長帯域の光を透過するようになっている。
また、ダイクロイックミラー４０は、図７に示すように、後述する照明モードに応じて、図示しない移動機構により第１の光源１０の光軸方向に移動され、第２の光源２０の光軸上に挿脱されるようになっている。
【００２８】
本実施形態に係る照明装置１は、特定の波長帯域の光を照明するＮＢＩ（Narrow Band Imaging：狭帯域光観察）モードと、白色光を照明するＷＬＩ（White
Light Imaging：白色光観察）モードとを備えている。これらの照明モードから、例えばタッチパネルやスイッチ等により所望の照明モードをユーザが選択することで、ダイクロイックミラー４０が、図示しない移動機構により第２の光源２０の光軸上に挿脱される。
【００２９】
ＮＢＩモードとは、血液中のヘモグロビンに吸収されやすい狭帯域化された２つの波長帯域の光（例えば、３９０〜４４５ｎｍの波長帯域の光と５３０〜５５０ｎｍの波長帯域の光）を照射することで、粘膜表層の毛細血管、粘膜微細模様を強調して表示することができる照明モードである。
ＷＬＩモードとは、波長帯域の広い白色光を照射するものであり、演色性の高い観察を行うことができる照明モードである。
【００３０】
ダイクロイックミラー４０とライトガイド４３との間には、ダイクロイックミラー４０からの光をライトガイド４３の入射端に集光するレンズ群４１，４２が配置されている。
ライトガイド４３は、例えばガラス等で形成された導光ロッドであり、レンズ群４１，４２により集光されたダイクロイックミラー４０からの光を出射端まで導くようになっている。
【００３１】
上記構成を有する照明装置１の作用について以下に説明する。
まず、ＮＢＩモードでは、図１に示されるように、ダイクロイックミラー４０が第２の光源２０の光軸上に配置される。
この状態において第１の光源１０および第２の光源２０が点灯される。
【００３２】
第１の光源１０からは、例えばバイオレット色等の比較的短波長の光Ｌ１が射出される。第１の光源１０から射出された光Ｌ１は、レンズ群１１，１２により略平行光にされ、ダイクロイックミラー４０によりライトガイド４３の入射端に向けて反射される。
【００３３】
第２の光源２０からは、例えば白色等の比較的広帯域で連続的なスペクトルを有する光Ｌ２が射出される。第２の光源２０から射出された光Ｌ２は、レンズ群２１，２２により略平行光にされ、ダイクロイックミラー４０に入射する。ダイクロイックミラー４０では、図５に示すように、第２の光源２０から射出された光Ｌ２のうち、一部がライトガイド４３の入射端の方向に透過し、その他が反射される。具体的には、ダイクロイックミラー４０は、第２の光源２０から射出された光Ｌ２のうち、例えば５００ｎｍ以上６００ｎｍ未満の波長帯域の光Ｌ２’を透過するともに、５００ｎｍ未満および６００ｎｍ以上の波長帯域の光を反射する。
【００３４】
このような反射特性を有するダイクロイックミラー４０により、図６に示すように、第１の光源１０から射出された光Ｌ１と、第２の光源２０から射出された光Ｌ２のうち５００ｎｍ以上６００ｎｍ未満の波長帯域の光Ｌ２’とが合成される。このように合成された光は、レンズ群４１，４２によりライトガイド４３の入射端に集光され、ライトガイド４３により出射端まで導かれて射出される。
【００３５】
このようにすることで、血液中のヘモグロビンに吸収されやすい狭帯域化された２つの波長帯域の光（例えば、３９０〜４４５ｎｍの波長帯域の光と５３０〜５５０ｎｍの波長帯域の光）を照射することができ、粘膜表層の毛細血管、粘膜微細模様を強調して表示することができる。
【００３６】
次に、ＷＬＩモードでは、図７に示されるように、ダイクロイックミラー４０が、図示しない移動機構により第１の光源１０の光軸方向に移動され、第２の光源２０の光路外へ外される。
この状態において第２の光源２０が点灯される。なお、この状態では、第１の光源１０からの光はライトガイド４３の入射端に導光されないため、第１の光源１０も点灯させることとしてもよい。
【００３７】
第２の光源２０からは、例えば白色等の比較的広帯域で連続的なスペクトルを有する光Ｌ２が射出される。第２の光源２０から射出された光Ｌ２は、レンズ群２１，２２により略平行光にされ、レンズ群４１，４２によりライトガイド４３の入射端に集光されて、ライトガイド４３により出射端まで導かれて射出される。
これにより、第２の光源２０から射出された光Ｌ２、すなわち、図８に示すような広帯域で連続的なスペクトルを有する白色光を照射することができ、演色性の高い観察を行うことができる。
【００３８】
以上のように、本実施形態の照明装置１によれば、第１の光源１０からの光Ｌ１と、第２の光源２０からの光Ｌ２とが、ダイクロイックフィルタ４０により合成されて射出される。この場合において、図示しない移動機構によりダイクロイックフィルタ４０を第１の光源１０の光軸方向に移動させることで、異なる波長帯域の光を切り替えて射出することができる。このようにすることで、照明する対象に応じて、波長帯域を切り替えて光を射出することができる。
【００３９】
より具体的には、特定の波長帯域の光を射出したい場合には、ＮＢＩモードを選択し、ダイクロイックフィルタ４０を光Ｌ２軸上に配置した状態で、第１の光源１０および／または第２の光源２０を点灯させることによって、特定の波長帯域の光を射出することができる。また、例えば白色光のようなブロードな光を射出したい場合には、ＷＬＩモードを選択し、ダイクロイックフィルタ４０を第２の光源２０の光軸上から外した状態で、第２の光源２０を点灯させることによって、広帯域で連続的なスペクトルを有する光Ｌ２をそのまま射出することができる。
【００４０】
〔第２の実施形態〕
次に、本発明の第２の実施形態に係る照明装置について、主に図９から図１７を参照して説明する。
本実施形態に係る照明装置が第１の実施形態と異なる点は、第１の光源１０、第２の光源２０に加えて、第３の光源３０を備える点である。以下、本実施形態の照明装置について、第１の実施形態と共通する点については説明を省略し、異なる点について主に説明する。
【００４１】
本実施形態に係る照明装置２は、図９に示すように、光軸が互いに直交する向きに配置された第１の光源１０、第２の光源２０、および第３の光源３０と、各光源の光軸の交点上に配置されたダイクロイックミラー（光合成部）４０と、第３の光源３０の光軸上に配置されたライトガイド４３とを備えている。
第１の光源１０と第２の光源２０とは対向して配置され、第３の光源３０は、第１の光源１０および第２の光源２０の光軸に直交する方向に光軸を向けて配置されている。
【００４２】
第１の光源１０は、図１１に示すように、例えばバイオレット色等の比較的短波長の光（第１の波長帯域の光）Ｌ１を射出するＬＥＤである。
第１の光源１０の射出光軸上には、第１の光源１０からの光Ｌ１を略平行光にするレンズ群１１，１２が配置されている。
【００４３】
第２の光源２０は、図１２に示すように、例えば白色等の比較的広帯域で連続的なスペクトルを有する光（第２の波長帯域の光）Ｌ２を射出するＬＥＤである。
第２の光源２０の射出光軸上には、第２の光源２０からの光Ｌ２を略平行光にするレンズ群２１，２２が配置されている。
【００４４】
第３の光源３０は、図１３に示すように、例えば緑色等の中間波長の光（第３の波長帯域の光）Ｌ３を射出するＬＥＤである。この光Ｌ３の波長帯域は、第２の光源２０からの光Ｌ２の波長帯域の一部である。
第３の光源３０の射出光軸上には、第３の光源３０からの光Ｌ３を略平行光にするレンズ群３１，３２が配置されている。
【００４５】
ダイクロイックミラー４０は、図１０に示すように、例えば５００ｎｍ以上６００ｎｍ未満の波長帯域の光を透過するともに、５００ｎｍ未満および６００ｎｍ以上の波長帯域の光を反射するような反射特性を有している。
【００４６】
このような反射特性を有することで、ダイクロイックミラー４０は、第１の光源１０から射出された光Ｌ１を反射するとともに、第２の光源２０から射出された光Ｌ２のうち５００ｎｍ以上６００ｎｍ未満の波長帯域の光および第３の光源３０から射出された光Ｌ３を透過するようになっている。
また、ダイクロイックミラー４０は、図１５に示すように、後述する照明モードに応じて、図示しない移動機構により各光源の光軸に直交する軸線（紙面に垂直な軸線）回りに回転されるようになっている。
【００４７】
本実施形態に係る照明装置２は、特定の波長帯域の光を照明するＮＢＩ（Narrow Band Imaging：狭帯域光観察）モードと、白色光を照明するＷＬＩ（White
Light Imaging：白色光観察）モードとを備えている。これらの照明モードから、例えばタッチパネルやスイッチ等により所望の照明モードをユーザが選択することで、ダイクロイックミラー４０が、図示しない移動機構により各光源の光軸に直交する軸線回りに回転される。
【００４８】
ダイクロイックミラー４０とライトガイド４３との間には、ダイクロイックミラー４０からの光をライトガイド４３の入射端に集光するレンズ群４１，４２が配置されている。
ライトガイド４３は、例えばガラス等で形成された導光ロッドであり、レンズ群４１，４２により集光されたダイクロイックミラー４０からの光を出射端まで導くようになっている。
【００４９】
上記構成を有する照明装置２の作用について以下に説明する。
まず、ＮＢＩモードでは、図９に示されるように、ダイクロイックミラー４０が、第１の光源１０から射出された光Ｌ１をライトガイド４３の入射端に向けて反射する角度に設定される。
この状態において第１の光源１０および第３の光源３０が点灯される。
【００５０】
第１の光源１０からは、例えばバイオレット色等の比較的短波長の光Ｌ１が射出される。第１の光源１０から射出された光Ｌ１は、レンズ群１１，１２により略平行光にされ、ダイクロイックミラー４０によりライトガイド４３の入射端に向けて反射される。
【００５１】
第３の光源３０からは、例えば緑色等の中間波長の光Ｌ３が射出される。第３の光源３０から射出された光Ｌ３は、レンズ群３１，３２により略平行光にされ、ダイクロイックミラー４０を透過してライトガイド４３の入射端に入射する。
【００５２】
このような反射特性を有するダイクロイックミラー４０により、図１４に示すように、第１の光源１０から射出された光Ｌ１と、第３の光源３０から射出された光Ｌ３とが合成される。このように合成された光は、レンズ群４１，４２によりライトガイド４３の入射端に集光され、ライトガイド４３により出射端まで導かれて射出される。
【００５３】
このようにすることで、血液中のヘモグロビンに吸収されやすい狭帯域化された２つの波長帯域の光（例えば、３９０〜４４５ｎｍの波長帯域の光と５３０〜５５０ｎｍの波長帯域の光）を照射することができ、粘膜表層の毛細血管、粘膜微細模様を強調して表示することができる。
【００５４】
次に、ＷＬＩモードでは、図１５に示されるように、ダイクロイックミラー４０が、図示しない移動機構により各光源の光軸に直交する軸線回りに回転され、第２の光源２０から射出された光Ｌ２をライトガイド４３の入射端に向けて反射する角度に設定される。
この状態において第２の光源２０および第３の光源３０が点灯される。
【００５５】
第２の光源２０からは、例えば白色等の比較的広帯域で連続的なスペクトルを有する光Ｌ２が射出される。第２の光源２０から射出された光Ｌ２は、レンズ群２１，２２により略平行光にされ、ダイクロイックミラー４０に入射する。ダイクロイックミラー４０では、図１６に示すように、第２の光源２０から射出された光Ｌ２のうち、一部がライトガイド４３の入射端の方向に透過し、その他が反射される。具体的には、ダイクロイックミラー４０は、第２の光源２０から射出された光Ｌ２のうち、例えば５００ｎｍ以上６００ｎｍ未満の波長帯域の光を透過するともに、５００ｎｍ未満および６００ｎｍ以上の波長帯域の光Ｌ２’を反射する。
【００５６】
このような反射特性を有するダイクロイックミラー４０により、図１７に示すように、第３の光源３０から射出された光Ｌ３と、第２の光源２０から射出された光Ｌ２のうち５００ｎｍ未満および６００ｎｍ以上の波長帯域の光とが合成される。このように合成された光は、レンズ群４１，４２によりライトガイド４３の入射端に集光され、ライトガイド４３により出射端まで導かれて射出される。
【００５７】
これにより、第２の光源２０から射出された光Ｌ２における５００ｎｍ以上６００ｎｍ未満の波長帯域の光Ｌ２’を、第３の光源３０から射出された光Ｌ３に置き換えて射出することができる。ここで、人間の目には、例えば緑色等の中間波長の光の強度を高くすることで、明るさが大きく向上するように感じることが知られている。したがって、第３の光源３０からの光Ｌ３の強度を大きくすることで、明るく且つ広帯域で連続的なスペクトルを有する白色光を照射することができ、観察精度を向上することができる。
【００５８】
以上のように、本実施形態の照明装置２によれば、特定の波長帯域の光を射出したい場合には、ＮＢＩモードを選択し、第１の光源１０からの光Ｌ１を合成光の射出光軸方向に反射するように、ダイクロイックフィルタ４０を各光源の光軸に直交する軸線回りに回転させる。この状態において、第１の光源１０および／または第３の光源３０を点灯させることによって、特定の波長帯域の光を射出することができる。
【００５９】
また、例えば白色光のようなブロードな光を射出したい場合には、ＷＬＩモードを選択し、第２の光源２０からの光Ｌ２を合成光の射出光軸方向に反射するように、ダイクロイックフィルタ４０を各光源の光軸に直交する軸線回りに回転させる。この状態において、第２の光源２０および第３の光源３０を点灯させることによって、第２の光源２０からの光Ｌ２において、波長帯域の一部が第３の光源３０からの光Ｌ３に置き換わった、明るく且つ広帯域で連続的なスペクトルを有する合成光を射出することができる。
【００６０】
〔第３の実施形態〕
次に、本発明の第３の実施形態に係る照明装置について、主に図１８から図２９を参照して説明する。
本実施形態に係る照明装置が前述の各実施形態と異なる点は、ＮＢＩモード、ＷＬＩモードに加えて、ＩＲ光を用いたＭＩ（Molecular Imaging：分子画像観察）モードを有する点である。以下、本実施形態の照明装置について、前述の各実施形態と共通する点については説明を省略し、異なる点について主に説明する。
【００６１】
ここで、ＭＩ（分子画像観察）とは、体内の特定の分子（例えばブドウ糖や様々なたんぱく質など）の分布や動きをＰＥＴ−ＣＴ等により可視化し、体内で起こっている様々な現象を動的に捉える観察方法である。この観察方法により、例えば癌や神経疾患や心疾患等の有無・進行状況・悪性度等を診断することができる。
【００６２】
本実施形態に係る照明装置３は、図１８に示すように、光軸が互いに直交する向きに配置された第１の光源１０、第２の光源２０、および第３の光源３０と、各光源の光軸の交点上に配置されたダイクロイックミラー（光合成部）４０と、第２の光源２０の光軸上に配置されたライトガイド４３とを備えている。
第１の光源１０と第３の光源３０とは対向して配置され、第２の光源２０は、第１の光源１０および第３の光源３０の光軸に直交する方向に光軸を向けて配置されている。
【００６３】
第１の光源１０は、図２０に示すように、例えばバイオレット色等の比較的短波長の光（第１の波長帯域の光）Ｌ１を射出するＬＥＤである。
第１の光源１０の射出光軸上には、第１の光源１０からの光Ｌ１を略平行光にするレンズ群１１，１２が配置されている。
【００６４】
第２の光源２０は、図２１に示すように、例えば白色等の比較的広帯域で連続的なスペクトルを有する光（第２の波長帯域の光）Ｌ２を射出するＬＥＤである。
第２の光源２０の射出光軸上には、第２の光源２０からの光Ｌ２を略平行光にするレンズ群２１，２２が配置されている。
【００６５】
第３の光源３０は、図２２に示すように、例えばＩＲ光（第３の波長帯域の光）Ｌ３を射出するＬＥＤである。この光Ｌ３は、第２の光源２０からの光Ｌ２とは異なる波長帯域を有する光である。
第３の光源３０の射出光軸上には、第３の光源３０からの光Ｌ３を略平行光にするレンズ群３１，３２が配置されている。
【００６６】
ダイクロイックミラー４０は、図１９に示すように、例えば５００ｎｍ以上６００ｎｍ未満の波長帯域の光を透過するともに、５００ｎｍ未満および６００ｎｍ以上の波長帯域の光を反射するような反射特性を有している。なお、図１９において、各グラフは、ダイクロイックミラー４０への入射角をそれぞれ示している。
【００６７】
このような反射特性を有することで、ダイクロイックミラー４０は、第１の光源１０から射出された光Ｌ１を反射するとともに、第２の光源２０から射出された光Ｌ２のうち５００ｎｍ以上６００ｎｍ未満の波長帯域の光および第３の光源３０から射出された光Ｌ３を透過するようになっている。
また、ダイクロイックミラー４０は、図２４に示すように、後述する照明モードに応じて、図示しない移動機構により各光源の光軸に直交する軸線（紙面に垂直な軸線）回りに回転されるようになっている。
【００６８】
本実施形態に係る照明装置３は、特定の波長帯域の光を照明するＮＢＩ（Narrow Band Imaging：狭帯域光観察）モードと、白色光を照明するＷＬＩ（White
Light Imaging：白色光観察）モードと、ＭＩ（Molecular Imaging：分子画像観察）モードとを備えている。これらの照明モードから、例えばタッチパネルやスイッチ等により所望の照明モードをユーザが選択することで、ダイクロイックミラー４０が、図示しない移動機構により各光源の光軸に直交する軸線回りに回転される。
【００６９】
ダイクロイックミラー４０とライトガイド４３との間には、ダイクロイックミラー４０からの光をライトガイド４３の入射端に集光するレンズ群４１，４２が配置されている。
ライトガイド４３は、例えばガラス等で形成された導光ロッドであり、レンズ群４１，４２により集光されたダイクロイックミラー４０からの光を出射端まで導くようになっている。
【００７０】
上記構成を有する照明装置３の作用について以下に説明する。
まず、ＷＬＩモードでは、図１８に示されるように、ダイクロイックミラー４０が、図示しない移動機構により各光源の光軸に直交する軸線回りに回転され、その反射面が第２の光源２０の光軸に沿う方向になるように配置される。
この状態において第２の光源２０が点灯される。
【００７１】
第２の光源２０からは、例えば白色等の比較的広帯域で連続的なスペクトルを有する光Ｌ２が射出される。第２の光源２０から射出された光Ｌ２は、レンズ群２１，２２により略平行光にされ、レンズ群４１，４２によりライトガイド４３の入射端に集光されて、ライトガイド４３により出射端まで導かれて射出される。
これにより、第２の光源２０から射出された光Ｌ２、すなわち、図２３に示すような広帯域で連続的なスペクトルを有する白色光を照射することができ、演色性の高い観察を行うことができる。
【００７２】
次に、ＮＢＩモードでは、図２４に示されるように、ダイクロイックミラー４０が、第１の光源１０から射出された光Ｌ１をライトガイド４３の入射端に向けて反射する角度に設定される。
この状態において第１の光源１０および第２の光源２０が点灯される。
【００７３】
第１の光源１０からは、例えばバイオレット色等の比較的短波長の光Ｌ１が射出される。第１の光源１０から射出された光Ｌ１は、レンズ群１１，１２により略平行光にされ、ダイクロイックミラー４０によりライトガイド４３の入射端に向けて反射される。
【００７４】
第２の光源２０からは、例えば白色等の比較的広帯域で連続的なスペクトルを有する光Ｌ２が射出される。第２の光源２０から射出された光Ｌ２は、レンズ群２１，２２により略平行光にされ、ダイクロイックミラー４０に入射する。ダイクロイックミラー４０では、図２５に示すように、第２の光源２０から射出された光Ｌ２のうち、一部がライトガイド４３の入射端の方向に透過し、その他が反射される。具体的には、ダイクロイックミラー４０は、第２の光源２０から射出された光Ｌ２のうち、例えば５００ｎｍ以上６００ｎｍ未満の波長帯域の光Ｌ２’を透過するともに、５００ｎｍ未満および６００ｎｍ以上の波長帯域の光を反射する。
【００７５】
このような反射特性を有するダイクロイックミラー４０により、図２６に示すように、第１の光源１０から射出された光Ｌ１と、第２の光源２０から射出された光Ｌ２のうち５００ｎｍ以上６００ｎｍ未満の波長帯域の光Ｌ２’とが合成される。このように合成された光は、レンズ群４１，４２によりライトガイド４３の入射端に集光され、ライトガイド４３により出射端まで導かれて射出される。
【００７６】
このようにすることで、血液中のヘモグロビンに吸収されやすい狭帯域化された２つの波長帯域の光（例えば、３９０〜４４５ｎｍの波長帯域の光と５３０〜５５０ｎｍの波長帯域の光）を照射することができ、粘膜表層の毛細血管、粘膜微細模様を強調して表示することができる。
【００７７】
次に、ＭＩモードでは、図２７に示されるように、ダイクロイックミラー４０が、第３の光源３０から射出された光Ｌ３をライトガイド４３の入射端に向けて反射する角度に設定される。
この状態において第２の光源２０および第３の光源３０が点灯される。
【００７８】
第３の光源３０からは、例えばＩＲ光等の比較的短波長の光Ｌ３が射出される。第３の光源３０から射出された光Ｌ３は、レンズ群３１，３２により略平行光にされ、ダイクロイックミラー４０によりライトガイド４３の入射端に向けて反射される。
【００７９】
第２の光源２０からは、例えば白色等の比較的広帯域で連続的なスペクトルを有する光Ｌ２が射出される。第２の光源２０から射出された光Ｌ２は、レンズ群２１，２２により略平行光にされ、ダイクロイックミラー４０に入射する。ダイクロイックミラー４０では、図２８に示すように、第２の光源２０から射出された光Ｌ２のうち、一部がライトガイド４３の入射端の方向に透過し、その他が反射される。具体的には、ダイクロイックミラー４０は、第２の光源２０から射出された光Ｌ２のうち、例えば５００ｎｍ以上６００ｎｍ未満の波長帯域の光Ｌ２’を透過するともに、５００ｎｍ未満および６００ｎｍ以上の波長帯域の光を反射する。
【００８０】
このような反射特性を有するダイクロイックミラー４０により、図２９に示すように、第３の光源３０から射出された光Ｌ３と、第２の光源２０から射出された光Ｌ２のうち５００ｎｍ以上６００ｎｍ未満の波長帯域の光Ｌ２’とが合成される。このように合成された光は、レンズ群４１，４２によりライトガイド４３の入射端に集光され、ライトガイド４３により出射端まで導かれて射出される。
【００８１】
このようにすることで、第３の光源３０から射出された光Ｌ３を励起光とし、第２の光源２０から射出された光Ｌ２のうち５００ｎｍ以上６００ｎｍ未満の波長帯域の光Ｌ２’を参照光として、体内の特定の分子（例えばブドウ糖や様々なたんぱく質など）の分布や動きを観察することができ、例えば癌や神経疾患や心疾患等の有無・進行状況・悪性度等を診断することができる。
【００８２】
以上のように、本実施形態の照明装置３によれば、第１の光源１０からの光Ｌ１を含む特定の波長帯域の光を射出したい場合には、ＮＢＩモードを選択し、第１の光源１０からの光Ｌ１を合成光の射出光軸方向に反射するように、ダイクロイックフィルタ４０を各光源の光軸に直交する軸線回りに回転させる。この状態において、第１の光源１０および／または第２の光源２０を点灯させることによって、所望の波長帯域の光を射出することができる。
【００８３】
また、例えば白色光のようなブロードな光を射出したい場合には、ＷＬＩモードを選択し、板状のフィルタであるダイクロイックフィルタ４０の反射面が第２の光源２０の射出光軸に沿う方向となるように、ダイクロイックフィルタ４０を各光源の光軸に直交する軸線回りに回転させる。この状態において、第２の光源２０を点灯させることによって、広帯域で連続的なスペクトルを有する光Ｌ２を、ダイクロイックフィルタ４０により反射させることなくそのまま射出することができる。
【００８４】
また、第３の光源３０からの光Ｌ３（ＩＲ光）を含む特定の波長帯域の光を射出したい場合には、ＭＩモードを選択し、第３の光源３０からの光Ｌ３を合成光の射出光軸方向に反射するように、ダイクロイックフィルタ４０を各光源の光軸に直交する軸線回りに回転させる。この状態において、第３の光源３０および／または第２の光源２０を点灯させることによって、所望の波長帯域の光を射出することができる。
【００８５】
〔第１の変形例〕
本実施形態に係る照明装置３の第１の変形例として、ダイクロイックフィルタ４０の回転と各光源の点灯とを同期させることとしてもよい。ここで、第１の光源１０から射出される光Ｌ１、第２の光源２０から射出される光Ｌ２、第３の光源３０から射出される光Ｌ３のスペクトルはそれぞれ補完関係にある。そこで、ダイクロイックフィルタ４０の回転に同期して各光源を順次点灯させることで、図３０に示すように、広帯域で連続的なスペクトルを有する光を重畳光として射出することができる。
【００８６】
また、ＷＬＩモード、ＮＢＩモード、ＭＩモードを、高速で順次切り替えられるため、高速面順次のような照明を行うことができる。この場合において、各照明モードを撮像と同期させることで、３つの照明モードで被写体を撮像できるため、画像処理によって、ＷＬＩモードの画像にＮＢＩモードやＭＩモードを重畳したり、高速に切り替え表示を行うことが可能となる。
【００８７】
〔第２の変形例〕
本実施形態に係る照明装置３の第２の変形例として、ダイクロイックフィルタ４０の静止角度を微調整することとしてもよい。
具体的には、ダイクロイックフィルタ４０の入射角依存性（波長シフト）を考慮することによって、ダイクロイックフィルタ４０の静止角を、上記のように４５°，０°，−４５°の３パターンだけでなく、例えば４３°，４０°としてもよい。これにより、ダイクロイックフィルタ４０の静止する角度に応じて、白色光（第２の光源２０から射出される光Ｌ２）から切り出すＧ帯域の波長を任意に設定することができる。
【００８８】
例えば、ＮＢＩモードとＡＦＩモードともにバイオレット色の光と緑色の光を使用するが、照射する波長が少し異なっている（ＮＢＩモードのＧバンドの中心波長はＡＦＩのそれよりも１０ｎｍ短い）。ＮＢＩモードとＡＦＩモードとでフィルタの静止角を変えることで、最適なＧ帯域の波長を提供できる。
【００８９】
さらに、ダイクロイックフィルタ４０の分光特性を図３１に示す特性とし、ダイクロイックフィルタ４０の静止角度を図３３のように変化させることで、各光源からの光の波長を図３２から図３４に示すようにシフトさせることができる。これにより、例えば蛍光試薬の種類により励起光の波長を数１０ｎｍシフトさせたい場合にも、ダイクロイックフィルタ４０の静止角度を変化させて、励起光（射出光）の波長を微調節して蛍光観察を行うことができる。
【００９０】
以上、本発明の実施形態について図面を参照して詳述してきたが、具体的な構成はこの実施形態に限られるものではなく、本発明の要旨を逸脱しない範囲の設計変更等も含まれる。例えば、本発明を上記の実施形態および各変形例を適宜組み合わせた実施形態に適用してもよい。
また、各実施形態において本発明の照明装置を観察システムに適用した例を説明したが、このような照明装置が適用可能なシステムの例としては、特殊光（赤外光観察や薬剤蛍光検察など）を用いる内視鏡システムや、蛍光観察を行う顕微鏡システムなどが挙げられる。
【００９１】
また、各実施形態において、各光源はそれぞれ独立した１つのＬＥＤであるとして説明したが、異なる波長のチップをパッケージングしたマルチチップのＬＥＤモジュールを用いることとしてもよい。これにより、出力光（合成光）におけるスペクトルの自由度を増加させることができ、より所望の帯域の光を得ることができる。
また、光合成部の具体例としてダイクロイックフィルタを挙げて説明したが、例えばダイクロイックプリズム等でもよい。
【符号の説明】
【００９２】
１，２，３  照明装置
１０  第１の光源
１１，１２  レンズ群
２０  第２の光源
２１，２２  レンズ群
３０  第３の光源
３１，３２  レンズ群
４０  ダイクロイックミラー（光合成部）
４１，４２  レンズ群
４３  ライトガイド
Ｌ１  第１の波長帯域の光
Ｌ２  第２の波長帯域の光
Ｌ３  第３の波長帯域の光
【図１】
2012101904.tif 000003
【図２】
2012101904.tif 000004
【図３】
2012101904.tif 000005
【図４】
2012101904.tif 000006
【図５】
2012101904.tif 000007
【図６】
2012101904.tif 000008
【図７】
2012101904.tif 000009
【図８】
2012101904.tif 000010
【図９】
2012101904.tif 000011
【図１０】
2012101904.tif 000012
【図１１】
2012101904.tif 000013
【図１２】
2012101904.tif 000014
【図１３】
2012101904.tif 000015
【図１４】
2012101904.tif 000016
【図１５】
2012101904.tif 000017
【図１６】
2012101904.tif 000018
【図１７】
2012101904.tif 000019
【図１８】
2012101904.tif 000020
【図１９】
2012101904.tif 000021
【図２０】
2012101904.tif 000022
【図２１】
2012101904.tif 000023
【図２２】
2012101904.tif 000024
【図２３】
2012101904.tif 000025
【図２４】
2012101904.tif 000026
【図２５】
2012101904.tif 000027
【図２６】
2012101904.tif 000028
【図２７】
2012101904.tif 000029
【図２８】
2012101904.tif 000030
【図２９】
2012101904.tif 000031
【図３０】
2012101904.tif 000032
【図３１】
2012101904.tif 000033
【図３２】
2012101904.tif 000034
【図３３】
2012101904.tif 000035
【図３４】
2012101904.tif 000036
【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
バイオレット色を有する第１の波長帯域の光を発する第１の光源と、
前記第１の波長帯域よりも広帯域で連続的なスペクトルを有する第２の波長帯域の光を発する第２の光源と、
前記第１の波長帯域の光と前記第２の波長帯域の光とを合成するダイクロイックミラーからなる光合成部と、
該光合成部による各前記波長帯域の光の合成比率を調節する合成比率調節部とを備える照明装置。
【請求項２】
前記光合成部が、前記第１の波長帯域の光を反射するとともに、前記第２の波長帯域の光の一部を透過して、前記第１の波長帯域の光と前記第２の波長帯域の光とを合成し、
前記合成比率調節部が、前記光合成部を前記第２の光源の光軸上から挿脱する請求項１に記載の照明装置。
【請求項３】
前記第２の波長帯域の一部の波長帯域である第３の波長帯域の光を発する第３の光源を備え、
前記光合成部が、前記第１の波長帯域の光および前記第２の波長帯域の光を反射するとともに、前記第３の波長帯域の光を透過し、
前記合成比率調節部が、前記光合成部を各前記光源の光軸に直交する軸線回りに回転させる請求項１に記載の照明装置。
【請求項４】
前記第１の波長帯域および前記第２の波長帯域とは異なる波長帯域である第３の波長帯域の光を発する第３の光源を備え、
前記光合成部が、前記第１の波長帯域の光および前記第３の波長帯域の光を反射するとともに、前記第２の波長帯域の光の一部を透過する板状のフィルタであり、
前記合成比率調節部が、前記光合成部を各前記光源の光軸に直交する軸線回りに回転させる請求項１に記載の照明装置。
【請求項５】
前記光合成部の回転に同期して、各前記光源を点灯させる請求項４に記載の照明装置。
【請求項６】
前記合成比率調節部が、射出する光の波長帯域に応じて、前記光合成部の各前記光源の光軸に直交する軸線回りの回転角度を微調節する請求項３に記載の照明装置。
【請求項７】
請求項１に記載の照明装置と、
該照明装置により照明された標本の画像を撮像する撮像素子とを備える観察システム。
【国際調査報告】
2012101904.tif 000037
2012101904.tif 000038